(57)【要約】  無線機であって、アンテナを接続することができるアンテナ接続端子９と、少なくとも１つの抵抗を接続することができる抵抗接続端子１０と、前記抵抗接続端子１０に接続された抵抗に基づいて前記アンテナ接続端子９に接続されたアンテナへの出力信号のレベルを制御するベースバンド変調部２、ＲＦ変調部３とを備えた。
2008090622.tif 000002
【特許請求の範囲】
【請求項１】
アンテナを接続することができる第１端子と、
少なくとも１つの抵抗を接続することができる第２端子と、
前記第２端子に接続された抵抗に基づいて前記第１端子に接続されたアンテナへの出力信号のレベルを制御する制御部と、
を備える無線機。
【請求項２】
請求項１に記載の無線機において、
前記第２端子に接続された抵抗は、前記第１端子に接続されたアンテナの利得に基づく抵抗値を有することを特徴とする無線機。
【請求項３】
請求項１に記載の無線機において、
前記制御部は、前記出力信号を増幅する増幅器を有し、
該増幅器は、前記抵抗を流れる電流により駆動されることを特徴とする無線機。
【請求項４】
請求項１に記載の無線機において、
更に、前記抵抗に関する特性値と前記レベルの制御における制御量との対応関係を記憶する第１記憶部を備え、
前記制御部は、前記第２端子に接続された抵抗に関する前記特性値の測定を行い、前記特性値の測定結果と前記第１記憶部に記憶された対応関係とに基づいて、前記制御量を決定することを特徴とする無線機。
【請求項５】
請求項１に記載の無線機において、
更に、前記出力信号の周波数と前記抵抗に関する特性値と前記レベルの制御における制御量との対応関係を記憶する第２記憶部を備え、
前記制御部は、前記出力信号の周波数を設定すると共に前記特性値の測定を行い、前記出力信号の周波数と前記特性値の測定結果と前記第２記憶部に記憶された対応関係とに基づいて、前記制御量を決定することを特徴とする無線機。
【請求項６】
請求項１に記載の無線機において、
前記第２端子は、設定可能な周波数の数の抵抗を接続することができ、
前記第２端子に接続される前記設定可能な周波数の数の抵抗は、それぞれ前記設定可能な周波数に対応し、前記第１端子に接続されるアンテナの該周波数における利得に基づく抵抗値を有し、
更に、前記設定可能な周波数の数の抵抗のそれぞれについて、該抵抗に関する特性値と前記レベルの制御における制御量との対応関係を記憶する第３記憶部を備え、
前記制御部は、前記出力信号の周波数を設定すると共に、前記第２端子に接続された該周波数に対応する抵抗に関する前記特性値の測定を行い、前記特性値の測定結果と前記第３記憶部に記憶された該抵抗の対応関係とに基づいて、前記制御量を決定することを特徴とする無線機。
【請求項７】
請求項１に記載の無線機において、
前記制御部は、前記抵抗に関する特性値と前記出力信号の制御量の関係式を有し、前記第２端子に接続された抵抗に関する特性値の測定を行い、前記特性値の測定結果と前記関係式とに基づいて、前記制御量を算出することを特徴とする無線機。
【請求項８】
請求項１に記載の無線機において、
前記制御部は、前記出力信号を増幅する増幅器を有し、
該増幅器は、前記第２端子に接続された抵抗の両端の電圧により駆動されることを特徴とする無線機。
【請求項９】
請求項４に記載の無線機において、
前記抵抗に関する特性値は、該抵抗を流れる電流値であることを特徴とする無線機。
【請求項１０】
請求項４に記載の無線機において、
前記制御量は、前記第１端子に接続されたアンテナの利得であり、
前記制御部は、所定のレベルから前記制御量を減算した値を前記出力信号のレベルとすることを特徴とする無線機。
【請求項１１】
請求項１に記載の無線機において、
前記制御部は、前記第２端子に所定の電位を与えることを特徴とする無線機。
【請求項１２】
無線機の制御を行う無線機制御方法であって、
前記無線機に備えられた第３端子に接続された少なくとも１つの抵抗に関する特性値を測定する測定ステップと、
前記第３端子と異なる端子であって前記無線機に備えられた第４端子に接続されたアンテナへの出力信号のレベルを、前記測定ステップにより測定された特性値に基づいて制御する制御ステップと
を実行する無線機制御方法。
【請求項１３】
請求項１２に記載の無線機制御方法において、
前記第３端子に接続された抵抗は、前記第４端子に接続されたアンテナの利得に基づく抵抗値を有することを特徴とする無線機制御方法。
【請求項１４】
請求項１２に記載の無線機制御方法において、
更に、前記抵抗に関する特性値と前記レベルの制御の制御量との対応関係を取得する第１取得ステップを実行し、
前記制御ステップは、前記測定ステップによる特性値の測定結果と前記対応関係とに基づいて、前記制御量を決定することを特徴とする無線機制御方法。
【請求項１５】
請求項１２に記載の無線機制御方法において、
更に、前記出力信号の周波数と前記抵抗に関する特性値と前記レベルの制御における制御量との対応関係を取得する第２取得ステップを実行し、
前記制御ステップは、前記出力信号の周波数を設定すると共に、前記測定ステップによる特性値の測定結果と前記対応関係とに基づいて、前記制御量を決定することを特徴とする無線機制御方法。
【請求項１６】
請求項１２に記載の無線機制御方法において、
前記第３端子は、設定可能な周波数の数の抵抗を接続することができ、
前記第３端子に接続される前記設定可能な周波数の数の抵抗は、それぞれ前記設定可能な周波数に対応し、前記第４端子に接続されるアンテナの該周波数における利得に基づく抵抗値を有し、
更に、前記設定可能な周波数の数の抵抗のそれぞれについて、該抵抗に関する特性値と前記レベルの制御における制御量との対応関係を取得する第３取得ステップを実行し、
前記制御ステップは、前記出力信号の周波数を設定すると共に、前記第３端子に接続された該周波数に対応する抵抗に関する前記測定ステップによる特性値の測定結果と前記第３取得ステップにて取得された該抵抗の対応関係とに基づいて、前記制御量を決定することを特徴とする無線機制御方法。
【請求項１７】
請求項１２に記載の無線機制御方法において、
前記制御ステップは、前記測定ステップによる特性値の測定結果および前記抵抗に関する特性値と前記出力信号の制御量の関係式に基づいて、前記制御量を算出することを特徴とする無線機制御方法。
【請求項１８】
請求項１２に記載の無線機制御方法において、
前記抵抗に関する特性値は、該抵抗を流れる電流値であることを特徴とする無線機制御方法。
【請求項１９】
請求項１４に記載の無線機制御方法において、
前記制御量は、前記第４端子に接続されたアンテナの利得であり、
前記制御ステップは、所定のレベルから前記制御量を減算した値を前記出力信号のレベルとすることを特徴とする無線機制御方法。
【請求項２０】
無線機の制御をコンピュータに実行させる無線機制御プログラムであって、
前記無線機に備えられた第３端子に接続された少なくとも１つの抵抗に関する特性値を測定する測定ステップと、
前記第３端子と異なる端子であって前記無線機に備えられた第４端子に接続されたアンテナへの出力信号のレベルを、前記測定ステップにより測定された特性値に基づいて制御する制御ステップと
をコンピュータに実行させる無線機制御プログラム。
【発明の詳細な説明】
【技術分野】
【０００１】
本発明は、送信出力を制御する無線機、無線機制御方法、無線機制御プログラムに関するものである。
【背景技術】
【０００２】
無線機にアンテナが接続されている場合、アンテナの利得により通信範囲が増大するが、近年ではセキュリティの観点から送信出力を抑えたいという要求が強い。【０００３】
例えば、近年みられる無線ＬＡＮ機器で構成するネットワーク環境においては、従来の有線ＬＡＮ機器での構成に比べてＬＡＮケーブルの敷設等の煩雑さが低減されたが、電波の届く範囲内であれば送受信されたデータの盗聴が外部より行われる可能性がある。これにより機密事項が外部に流出するおそれがあり、さらに外部から無線ＬＡＮ内のネットワークが侵入されるおそれもある。よって、アンテナからの送信出力を抑えることで外部への情報漏えいを防ぐ必要がある。【０００４】
なお、関連ある従来技術として、利得の異なる複数のアンテナを使い分けることで、アンテナの利得に応じて送信電力を制御する手段を備えた携帯電話装置がある（例えば、特許文献１参照）。
【特許文献１】特許第２７１８１３８号公報
【発明の開示】
【発明が解決しようとする課題】
【０００５】
しかしながら上述の特許文献１に開示された携帯電話装置においては、全てのアンテナは携帯電話装置に組み込まれており、外部アンテナを利用することは困難である。【０００６】
本発明は上述した問題点を解決するためになされたものであり、無線機に接続されたアンテナに応じてアンテナへの出力信号のレベルを制御する無線機、無線機制御方法、無線機制御プログラムを提供することを目的とする。
【課題を解決するための手段】
【０００７】
上述した課題を解決するため、本発明は、アンテナを接続することができる第１端子と、少なくとも１つの抵抗を接続することができる第２端子と、前記第２端子に接続された抵抗に基づいて前記第１端子に接続されたアンテナへの出力信号のレベルを制御する制御部とを備える。【０００８】
また、本発明は、無線機の制御を行う無線機制御方法であって、前記無線機に備えられた第３端子に接続された少なくとも１つの抵抗に関する特性値を測定する測定ステップと、前記第３端子と異なる端子であって前記無線機に備えられた第４端子に接続されたアンテナへの出力信号のレベルを、前記測定ステップにより測定された特性値に基づいて制御する制御ステップとを実行する無線機制御方法である。【０００９】
さらに、本発明は、無線機の制御をコンピュータに実行させる無線機制御プログラムであって、前記無線機に備えられた第３端子に接続された少なくとも１つの抵抗に関する特性値を測定する測定ステップと、前記第３端子と異なる端子であって前記無線機に備えられた第４端子に接続されたアンテナへの出力信号のレベルを、前記測定ステップにより測定された特性値に基づいて制御する制御ステップとをコンピュータに実行させる無線機制御プログラムである。
【図面の簡単な説明】
【００１０】
【図１】実施の形態１に係る無線ＬＡＮ機器および外部アンテナの構成の一例を示すブロック図である。
【図２】実施の形態１に係るベースバンド変調部の処理の一例を示すフロー図である。
【図３】実施の形態１に係る電流値、アンテナ利得の対応関係を示した図である。
【図４】実施の形態１に係る周波数帯域、電流値、アンテナ利得の対応関係を示した図である。
【図５】実施の形態２に係る無線ＬＡＮ機器および外部アンテナモジュールの構成の一例を示すブロック図である。
【図６】実施の形態２に係るＢＩＡＳ端子、電流値、利得の対応関係を示した図である。
【図７】実施の形態３に係る無線ＬＡＮ機器および外部アンテナモジュールの構成の一例を示すブロック図である。
【発明を実施するための最良の形態】
【００１１】
以下、本発明の実施の形態について図面を参照しつつ説明する。【００１２】
（実施の形態１）
本実施の形態においては、本発明の無線機を無線ＬＡＮ機器に適用した場合について説明する。本実施の形態に係る無線ＬＡＮ機器は、外部アンテナモジュールを取り付けることができる。無線ＬＡＮ機器に外部アンテナモジュールが取り付けられることで、無線ＬＡＮ機器はアンテナ利得を識別し、アンテナ利得に対応してアンテナへの出力信号のレベルの制御を行う。以下に本実施の形態について説明する。【００１３】
図１は、本実施の形態に係る無線ＬＡＮ機器および外部アンテナモジュールの構成の一例を示すブロック図である。無線ＬＡＮ機器１に外部アンテナモジュール８が接続される。まず外部アンテナモジュール８の構成について説明する。外部アンテナモジュール８は、無線ＬＡＮ機器１と接続するためのコネクタ部４を備え、コネクタ部４にアンテナ５が取り付けられている。またコネクタ部４はアンテナ５の利得に対応付けられた抵抗値を持つ抵抗６を備える。【００１４】
次に無線ＬＡＮ機器の構成について説明する。無線ＬＡＮ機器１は、ＲＦ変調部３に対して送信するデータ（ＤＩＯ）を出力すると共に、搬送周波数（周波数）及び出力信号レベルを指示する出力制御信号を出力するベースバンド変調部２を備える。ベースバンド変調部２は、抵抗接続端子１０に所定の電位を与えるＢＩＡＳ端子１１を備える。また無線ＬＡＮ機器１は、ベースバンド変調部２からの出力制御信号に従ってアンテナ５への出力信号の搬送周波数及びレベル（出力信号レベル）を制御するＲＦ変調部３を備える。さらに無線ＬＡＮ機器１は、抵抗６に流れる電流値（特性値）と、アンテナ５の利得（制御量）との対応関係を記憶させた記憶部７を備える。また無線ＬＡＮ機器１は、アンテナ５を接続するためのアンテナ接続端子９および抵抗６を接続するための抵抗接続端子１０とを備える。【００１５】
外部アンテナモジュール８のコネクタ部４が無線ＬＡＮ機器１に挿入されることで、アンテナ５はアンテナ接続端子９に接続されると共に、抵抗６は抵抗接続端子１０に接続される。【００１６】
図２は、本実施の形態に係る処理の一例を示すフロー図である。本フロー図を参照しつつ本実施の形態の処理を説明する。【００１７】
まず無線ＬＡＮ機器１に外部アンテナモジュール８が取り付けられていない（コネクタ部４が無線ＬＡＮ機器１に挿入されていない）場合、抵抗６が無線ＬＡＮ機器１と接続されていないため、ベースバンド変調部２内のＢＩＡＳ端子１１が開放されていることとなる。よってＢＩＡＳ端子１１に電流は流れない。【００１８】
外部アンテナモジュール８が無線ＬＡＮ機器１に取り付けられる（コネクタ部４が無線ＬＡＮ機器１に挿入される）と、アンテナ５および抵抗６がコネクタ部４を介して無線ＬＡＮ機器１に接続され、ＢＩＡＳ端子１１から抵抗６へ通電される。ベースバンド変調部２はＢＩＡＳ端子１１を流れる電流（抵抗６を流れる電流）を検知し、アンテナ５および抵抗６が接続されたことを確認する（ステップＳ１）。また、抵抗６の抵抗値はアンテナ５の利得に予め対応付けられているため、無線ＬＡＮ機器１に対応したアンテナか（抵抗６を有するアンテナが接続されているか）を判定する（ステップＳ２）。【００１９】
ステップＳ２での判定結果がＹＥＳの場合、ベースバンド変調部２は抵抗６を流れる電流値、即ちＢＩＡＳ端子１１を流れる電流値を測定する。さらにベースバンド変調部２は、記憶部７にて記憶された電流値とアンテナ利得との対応関係より、測定された電流値からアンテナ５の利得を識別する（ステップＳ３）。【００２０】
ここで、無線ＬＡＮ機器１において設定可能な周波数帯域が１つである場合、ＢＩＡＳ端子１１で測定される電流値とアンテナ利得との対応関係が、予め記憶部７に格納される。記憶部７にて記憶される電流値、アンテナ利得の対応関係の一例を図３に示す。図３の対応関係よりベースバンド変調部２はＢＩＡＳ端子１１で測定された電流値からアンテナ５の利得を識別することができる。また、ベースバンド変調部２がこのようにアンテナ５の利得を識別することで、アンテナ利得に関わらずアンテナ５からの無線出力信号のレベルが一定レベルに制御される。【００２１】
また、無線ＬＡＮ機器１において設定可能な周波数帯域が複数である場合、周波数帯域とＢＩＡＳ端子１１で測定される電流値とアンテナ利得との対応関係が、予め記憶部７に格納される。ベースバンド変調部２は搬送周波数（搬送周波数はベースバンド変調部２または外部にて決定される）に対応し、且つ電流値と対応して、アンテナ５の利得を識別することもできる。ベースバンド変調部２がこのように周波数帯域毎に利得を変更することで、全ての周波数帯域でアンテナ利得に関わらずアンテナ５からの無線出力信号のレベルが一定レベルに保持される。記憶部７にて記憶させる周波数帯域、電流値、アンテナ利得の対応関係の一例を図４に示す。図４の対応関係のように縦項目（行毎）に周波数帯域、横項目（列毎）に抵抗６に流れる電流値とし、それぞれに対応するアンテナ利得が記憶されていることで、ベースバンド変調部２は搬送周波数と電流値からアンテナ利得を得ることができる。【００２２】
例えばベースバンド変調部２が搬送周波数を５１５５ＭＨｚに設定した場合において、ベースバンド変調部２は、ＢＩＡＳ端子１１（抵抗６）に流れる電流値の測定結果が５ｍＡであるとすると、記憶部７に記憶された図４の対応関係を照会し、アンテナ５の利得を０．８ｄＢｉと識別する。【００２３】
またベースバンド変調部２は、記憶部７に記憶された対応関係を使用せずに、数式を用いて抵抗６に流れる電流値に対するアンテナ利得を識別することもできる。数式は、例えば比例式のように電流値に比例してアンテナ利得が得られるものとする。さらにベースバンド変調部２は、周波数帯域毎に異なった数式を用いることで、周波数帯域及び電流値に対応してアンテナ利得を識別することもできる。【００２４】
アンテナ５から出力される無線出力信号のレベルである基準レベル（所定のレベル）が予め設定される。ベースバンド変調部２は、（（基準レベル）−（アンテナ利得））を出力信号レベルとするように指示する出力制御信号をＲＦ変調部３へ出力し（ステップＳ４）、このフローは終了する。ＲＦ変調部３は、出力制御信号で指示された出力信号レベルになるように出力信号の増幅を行い、増幅した出力信号をアンテナ５へ出力する。【００２５】
尚、ベースバンド変調部２は無線ＬＡＮ機器１に対応していないアンテナが接続された等、ステップＳ２でＮＯの場合は何も処理を行わず（ステップＳ５）、このフローは終了する。即ち、対応していないアンテナが接続された場合、ベースバンド変調部２はＲＦ変調部３に対して出力信号レベルの指示を行わず、出力信号レベルは規定のレベルとなる。【００２６】
本実施の形態によれば、無線ＬＡＮ機器１はアンテナ５の利得を自動的に識別し、出力信号レベルを自動的に制御することにより出力信号レベルを抑えることができる。また、高利得のアンテナを用いる場合、送信時はアンテナ利得に関わらずアンテナからの無線出力信号のレベルを一定とし、受信時はアンテナ利得で受信感度を上げることにより通信範囲を拡大することができる。【００２７】
（実施の形態２）
本実施の形態は、周波数帯域毎に異なった抵抗を備えることで、周波数に対し異なった利得で送信することを可能とする。本実施の形態にかかる無線ＬＡＮ機器は、外部アンテナモジュールにおける周波数帯域毎の抵抗により、送信する周波数帯域におけるアンテナ利得を識別し、アンテナ利得に対応してアンテナへの出力信号のレベルの制御を行う。【００２８】
図５に、本実施の形態に係る無線ＬＡＮ機器および外部アンテナモジュールの構成の一例をブロック図として示す。本実施の形態における無線ＬＡＮ機器１のベースバンド変調部２は、抵抗接続端子１０Ａに所定の電位を与えるＢＩＡＳ端子１２Ａ、および抵抗接続端子１０Ｂに所定の電位を与えるＢＩＡＳ端子１２Ｂを備え、さらに無線ＬＡＮ機器１は、ＢＩＡＳ端子１２Ａ，１２Ｂにそれぞれ対応する抵抗接続端子１０Ａおよび抵抗接続端子１０Ｂを備える。外部アンテナモジュール８のコネクタ部４は、抵抗６Ａおよび抵抗６Ｂの２つの抵抗を備える。コネクタ部４が無線ＬＡＮ機器１に取り付けられることで、抵抗６Ａは抵抗接続端子１０Ａに接続されることでＢＩＡＳ端子１２Ａと接続され、抵抗６Ｂは抵抗接続端子１０Ｂに接続されることでＢＩＡＳ端子１２Ｂと接続される。尚、図１と同一符号は図５に示された対象と同一又は相当物を示しており、ここでの説明を省略する。ベースバンド変調部２におけるＢＩＡＳ端子の数、及びコネクタ部４における抵抗の数は、設定可能な周波数帯域または周波数の数に対応する。本実施の形態において、設定可能な周波数帯域の数は２つである。【００２９】
本実施の形態では、送信する周波数帯域とベースバンド変調部２内のＢＩＡＳ端子１２Ａ，１２Ｂとを予め対応させる。例えば、５１５１ＭＨｚから５２５０ＭＨｚまでの周波数帯域とＢＩＡＳ端子１２Ａとを対応させ、また５２５１ＭＨｚから５３５０ＭＨｚまでの周波数帯域とＢＩＡＳ端子１２Ｂとを対応させる。【００３０】
次に本実施の形態の処理について説明する。まずベースバンド変調部２は、設定された周波数帯域により、ＢＩＡＳ端子１２Ａにて検知された電流値（抵抗６Ａに流れる電流値）を選択するか、またはＢＩＡＳ端子１２Ｂにて検知された電流値（抵抗６Ｂに流れる電流値）を選択するかを決定する。【００３１】
次にベースバンド変調部２は、記憶部７に記憶された対応関係によって、選択されたＢＩＡＳ端子に接続された抵抗に流れた電流値からアンテナ５の利得を識別する。記憶部７にて記憶される対応関係の一例を図６に示す。図６に示すようにＢＩＡＳ端子毎に電流値とアンテナ利得とを対応させることで、ベースバンド変調部２はアンテナ利得を識別することができる。【００３２】
例えば搬送周波数を５１５５ＭＨｚとするように設定された場合、ベースバンド変調部２は、ＢＩＡＳ端子１２Ａ（５１５１ＭＨｚから５２５０ＭＨｚに対応）に接続された抵抗６Ａに流れる電流値を選択する。ＢＩＡＳ端子１２Ａの測定の結果、抵抗６Ａに流れる電流値が５ｍＡとすると、ベースバンド変調部２は、記憶部７に記憶された上述の対応関係を照会し、アンテナ５の利得を０．８ｄＢｉと識別する。【００３３】
アンテナ５から出力される無線出力信号のレベルである基準レベル（所定のレベル）が予め設定される。ベースバンド変調部２は、（（基準レベル）−（アンテナ利得））を出力信号レベルとするように指示する出力制御信号をＲＦ変調部３へ出力する。ＲＦ変調部３は、出力制御信号で指示された出力信号レベルになるように出力信号の増幅を行い、増幅した出力信号をアンテナ５へ出力する。【００３４】
本実施の形態のように、無線ＬＡＮ機器１は外部アンテナモジュール８に備えた複数の抵抗と周波数帯域とを対応させることで、周波数帯域とアンテナ利得に基づいて出力信号レベルを自動的に変更することができる。【００３５】
（実施の形態３）
本実施の形態は、ＲＦ変調部３内のパワーアンプ（増幅器）とアンテナの利得に対応した抵抗とを接続させる構成をとり、パワーアンプで直接、出力信号レベルを制御する。本実施の形態に係る無線ＬＡＮ機器および外部アンテナモジュールの構成の一例を示すブロック図を図７に示す。【００３６】
本実施の形態では、ＲＦ変調部３内にパワーアンプ３Ａ、パワーアンプ３Ａの電源電圧端子２０を備える。外部アンテナモジュール８のコネクタ部４が無線ＬＡＮ機器１に取り付けられることで、パワーアンプ３Ａとアンテナ５の利得に対応した抵抗６が抵抗接続端子１０を通して接続される。尚、図１と同一符号は図７に示された対象と同一又は相当物を示しており、ここでの説明を省略する。【００３７】
電源電圧端子２０には所定の電源電圧が与えられている。また、パワーアンプ３Ａの正電源端子は、電源電圧端子２０に接続され、パワーアンプ３Ａの負電源端子は、抵抗接続端子１０に接続されている。抵抗接続端子１０に抵抗６が接続されることによりパワーアンプ３Ａの駆動電流が流れ、パワーアンプ３Ａの駆動電流の電流値は抵抗６の抵抗値に応じた値となる。パワーアンプ３Ａは、この駆動電流により出力信号を増幅するため、抵抗６の抵抗値により出力信号の増幅率が制御される。【００３８】
またパワーアンプ３Ａは、抵抗６の両端の電圧により駆動されることで出力信号を増幅させてもよい。【００３９】
本実施の形態のように、無線ＬＡＮ機器１は、ＲＦ変調部３内のパワーアンプ３Ａに直接外部アンテナモジュール８に備えた抵抗が接続されることで、出力信号レベルを変更することができる。【００４０】
なお、制御部は、実施の形態におけるベースバンド変調部２、ＲＦ変調部３に対応し、第１端子及び第４端子は、実施の形態におけるアンテナ接続端子９に対応する。また、第２端子及び第３端子は、実施の形態における抵抗接続端子１０、抵抗接続端子１０Ａ、抵抗接続端子１０Ｂに対応する。また第１記憶部、第２記憶部、第３記憶部は、実施の形態における記憶部に対応する。【００４１】
また、測定ステップは、実施の形態におけるステップＳ１、ステップＳ２に対応し、第１取得ステップ、第２取得ステップおよび第３取得ステップは、実施の形態におけるステップＳ３に対応する。さらに制御ステップは、実施の形態におけるステップＳ４に対応する。【００４２】
また、本発明の無線機は、無線ＬＡＮ機器の他に、デジタル無線通信装置及びアナログ無線通信装置、例えば、携帯電話機、トランシーバー等に適用することができる。【００４３】
更に、無線機を構成するコンピュータにおいて上述した各ステップを実行させるプログラムを、無線機制御プログラムとして提供することができる。上述したプログラムは、コンピュータにより読取り可能な記録媒体に記憶させることによって、無線機を構成するコンピュータに実行させることが可能となる。ここで、上記コンピュータにより読取り可能な記録媒体としては、ＲＯＭやＲＡＭ等のコンピュータに内部実装される内部記憶装置、ＣＤ−ＲＯＭやフレキシブルディスク、ＤＶＤディスク、光磁気ディスク、ＩＣカード等の可搬型記憶媒体や、コンピュータプログラムを保持するデータベース、或いは、他のコンピュータ並びにそのデータベースや、更に回線上の伝送媒体をも含むものである。
【産業上の利用可能性】
【００４４】
以上説明したように、本発明によれば、無線機に接続されたアンテナに応じてアンテナへの出力信号のレベルを制御することが可能となる。
【図１】
2008090622.tif 000003
【図２】
2008090622.tif 000004
【図３】
2008090622.tif 000005
【図４】
2008090622.tif 000006
【図５】
2008090622.tif 000007
【図６】
2008090622.tif 000008
【図７】
2008090622.tif 000009
【手続補正書】
【提出日】平成21年6月10日(2009.6.10)
【手続補正１】
【補正対象書類名】特許請求の範囲
【補正対象項目名】全文
【補正方法】変更
【補正の内容】
【特許請求の範囲】
【請求項１】
アンテナを接続することができる第１端子と、
少なくとも１つの抵抗を接続することができる第２端子と、
前記第２端子に接続された抵抗に基づいて前記第１端子に接続されたアンテナへの出力信号のレベルを制御する制御部と、を備える無線機において、
前記第２端子に接続された抵抗は、前記第１端子に接続されたアンテナの利得に基づく抵抗値を有することを特徴とする無線機。
【請求項２】
アンテナを接続することができる第１端子と、
少なくとも１つの抵抗を接続することができる第２端子と、
前記第２端子に接続された抵抗に基づいて前記第１端子に接続されたアンテナへの出力信号のレベルを制御する制御部と、を備える無線機において、
更に、前記抵抗に関する特性値と前記レベルの制御における制御量との対応関係を記憶する第１記憶部を備え、
前記制御部は、前記第２端子に接続された抵抗に関する前記特性値の測定を行い、前記特性値の測定結果と前記第１記憶部に記憶された対応関係とに基づいて、前記制御量を決定することを特徴とする無線機。
【請求項３】
請求項２に記載の無線機において、
前記制御量は、前記第１端子に接続されたアンテナの利得であり、
前記制御部は、所定のレベルから前記制御量を減算した値を前記出力信号のレベルとすることを特徴とする無線機。
【請求項４】
アンテナを接続することができる第１端子と、
少なくとも１つの抵抗を接続することができる第２端子と、
前記第２端子に接続された抵抗に基づいて前記第１端子に接続されたアンテナへの出力信号のレベルを制御する制御部と、を備える無線機において、
更に、前記出力信号の周波数と前記抵抗に関する特性値と前記レベルの制御における制御量との対応関係を記憶する第２記憶部を備え、
前記制御部は、前記出力信号の周波数を設定すると共に前記特性値の測定を行い、前記出力信号の周波数と前記特性値の測定結果と前記第２記憶部に記憶された対応関係とに基づいて、前記制御量を決定することを特徴とする無線機。
【請求項５】
アンテナを接続することができる第１端子と、
少なくとも１つの抵抗を接続することができる第２端子と、
前記第２端子に接続された抵抗に基づいて前記第１端子に接続されたアンテナへの出力信号のレベルを制御する制御部と、を備える無線機において、
前記第２端子は、設定可能な周波数の数の抵抗を接続することができ、
前記第２端子に接続される前記設定可能な周波数の数の抵抗は、それぞれ前記設定可能な周波数に対応し、前記第１端子に接続されるアンテナの該周波数における利得に基づく抵抗値を有し、
更に、前記設定可能な周波数の数の抵抗のそれぞれについて、該抵抗に関する特性値と前記レベルの制御における制御量との対応関係を記憶する第３記憶部を備え、
前記制御部は、前記出力信号の周波数を設定すると共に、前記第２端子に接続された該周波数に対応する抵抗に関する前記特性値の測定を行い、前記特性値の測定結果と前記第３記憶部に記憶された該抵抗の対応関係とに基づいて、前記制御量を決定することを特徴とする無線機。
【請求項６】
アンテナを接続することができる第１端子と、
少なくとも１つの抵抗を接続することができる第２端子と、
前記第２端子に接続された抵抗に基づいて前記第１端子に接続されたアンテナへの出力信号のレベルを制御する制御部と、を備える無線機において、
前記制御部は、前記抵抗に関する特性値と前記出力信号の制御量の関係式を有し、前記第２端子に接続された抵抗に関する特性値の測定を行い、前記特性値の測定結果と前記関係式とに基づいて、前記制御量を算出することを特徴とする無線機。
【請求項７】
アンテナを接続することができる第１端子と、
少なくとも１つの抵抗を接続することができる第２端子と、
前記第２端子に接続された抵抗に基づいて前記第１端子に接続されたアンテナへの出力信号のレベルを制御する制御部と、を備える無線機において、
前記制御部は、前記出力信号を増幅する増幅器を有し、
該増幅器は、前記第２端子に接続された抵抗の両端の電圧により駆動されることを特徴とする無線機。
【国際調査報告】
2008090622.tif 000010
2008090622.tif 000011